(57)【要約】本発明は、下剪断刃２および上剪断刃３を備えた、電動式ヘアカッターのカッターヘッド１に関する。下剪断刃２および上剪断刃３は互いに結合されており、下剪断刃２と上剪断刃３との間のスロット３１内に、平坦部材からなり、切断櫛歯を備え、かつ往復駆動され得る切断刃５が配置されている。【選択図】図１
2007512882.tif 000002
【特許請求の範囲】
【請求項１】
下剪断刃（２）および上剪断刃（３）を備えた、電動式ヘアカッター（４）のカッターヘッド（１）であって、
前記下剪断刃（２）および上剪断刃（３）が互いに強固に結合されており、
前記下剪断刃（２）と上剪断刃（３）との間のスロット（３１）内に、平坦部材（７）からなり、切断櫛歯（６）を備え、かつ往復駆動され得る切断刃（５）が配置されていることを特徴とするカッターヘッド（１）。
【請求項２】
前記平坦部材（７）が、硬い金属薄板（７．１）からなっていることを特徴とする請求項１に記載のカッターヘッド（１）。
【請求項３】
前記切断刃（５）は、その厚さ（Ｓ）が０．１〜１．０ｍｍとなっていることを特徴とする請求項１に記載のカッターヘッド（１）。
【請求項４】
前記切断刃（５）が、平行ガイド（３６）を備えていることを特徴とする請求項１に記載のカッターヘッド（１）。
【請求項５】
さらに、ヘアカット長さ調整装置（９）を備えていることを特徴とする請求項１に記載のカッターヘッド（１）。
【請求項６】
下剪断刃（２）および上剪断刃（３）が、前記切断刃（５）に対して調節可能となっていることを特徴とする請求項５に記載のカッターヘッド（１）。
【請求項７】
さらに、潤滑油溜り（８）を含んでいることを特徴とする請求項１に記載のカッターヘッド（１）。
【請求項８】
前記電動式ヘアカッター（４）は、電池または再充電可能な蓄電池（１６）によって駆動されることを特徴とする請求項１に記載のカッターヘッド（１）。
【請求項９】
単一のユニット（３４）として構成されていることを特徴とする請求項１に記載のカッターヘッド（１）。
【請求項１０】
前記ヘアカッター（４）に対してはめ込み可能になっていることを特徴とする請求項９に記載のカッターヘッド（１）。
【発明の詳細な説明】
【技術分野】
【０００１】
本発明は、電動式ヘアカッターのカッターヘッドに関する。
【背景技術】
【０００２】
電動式ヘアカッターのカッターヘッドは、例えば、ＥＰ０８５６３８６Ｂ１に開示されている。ヘアカッターは、カッターヘッドの上剪断刃が、電動モータおよびカムによって前後に往復駆動され、固定された下剪断刃と当該動く上剪断刃との間でヘアカットがなされるものである。ヘアカットにおいて重要であるのは、両刃間のカッティングエッジがシャープであることと、その間に、可能な限りギャップが無いか適度に小さいギャップがあることである。このような構成により、固定刃と可動刃との間で剪断作用が生じて、ヘアカットがなされる。ここで、ギャップが増大すると、カット性能がかなり悪化する。これを避けるべく、可動の上剪断刃は、下剪断刃に対して強い弾性力で押し付けられ、適度な安定性が付与されている。この安定性と可動の上剪断刃の重量とにより、接触圧力が高いため、大きな駆動力が必要であった。つまり、比較的大きな駆動モータが必要であり、コードレスヘアカッターの場合はさらに、比較的大きな蓄電池が必要であった。さらに、その強い加速力によって、好ましくない振動がヘアカッターハウジングに伝達されていた。
【特許文献１】欧州特許第０８５６３８６号（ＥＰ  ０  ８５６  ３８６  Ｂ１）
【発明の開示】
【発明が解決しようとする課題】
【０００３】
したがって、本発明の課題は、上述の問題点を解決したヘアカッターを提供するものである。
【課題を解決するための手段】
【０００４】
上記課題は、請求項１に記載の発明によって解決される。本発明のさらに好ましい形態が、従属項に記載されている。
【０００５】
つまり、下剪断刃および上剪断刃を備えた、電動式ヘアカッター用のカッターヘッドにおいて、下剪断刃および上剪断刃を互いに強固に結合し、下剪断刃と上剪断刃との間のスロット内に、平坦部材からなり、切断櫛歯を備えていると共に往復駆動され得る切断刃を配置することにより、上記課題を解決することができる。
【発明を実施するための最良の形態】
【０００６】
以下、本発明の実施形態について詳述する。
【０００７】
図１は、下剪断刃２および上剪断刃３を備えた、電動式ヘアカッター４（図２参照）のカッターヘッド１を示している。下剪断刃２および上剪断刃３は互いに強固に結合されている。下剪断刃２と上剪断刃３との間にはスロット３１が形成されており、当該スロット３１内に、平坦部材７からなると共に、駆動部材１２によって往復駆動され得る切断刃５が収容されている。切断刃５は、下剪断刃２の剪断櫛歯１９および上剪断刃３の剪断櫛歯１９に対応する切断櫛歯６（図８参照）を端部に有している。
【０００８】
切断刃５は、低コストで生産可能な軽量の薄い平坦部材７、特に、硬い金属薄板７．１からなっている。詳しくは、切断刃５は、０．１〜１．０ｍｍの厚さＳを有している。軽量な切断刃５は、接圧なしで駆動されるため、かなり少ない駆動力で足りると共に、ヘアカッター４におけるハウジング１７の広範囲に及ぶ好ましくない振動を阻止する。軽量な切断刃５は、接圧なしで駆動されるため、摩擦が低減され、オイル消費も低減される。切断刃５が、互いに接続された剪断刃２，３の間に挿入されていることにより、剪断刃２，３の重量を減らすこともできる。剪断刃２，３の間の挿入幅Ｂは、無駄な接圧が生じないように、可動切断刃５の厚さＳとほぼ同じにされ、最も小さなクリアランスとなるように調整されている。
【０００９】
さらに、カッターヘッド１は、一体化されたヘアカット長さ調整装置９を備えており、スロット３１内の切断刃５は、レバー３３によって、手動で矢印３２の方向に位置を変えられ得る。このヘアカット長さ調整装置９の原理は、上述のＥＰ０８５６３８６Ｂ１の図１〜５およびそれに対応した記載によって開示されている。そこでの下剪断刃に替わって、ここでは、互いに強固に接続された剪断刃２，３が、切断刃５に対して位置を変えられ得るようになっている。カッターヘッド１は、単一のユニット３４として形成されており、ヘアカッター４（図２参照）に接続し得るようになっている。
【００１０】
図２は、ヘアカッター４に接続されたカッターヘッド１を示している。ヘアカッター４は、カム１３を有する駆動モータ１１を備えており、カムピン１４が切断刃５上の駆動部材１２を駆動する。駆動モータ１１は、スイッチ１５を介して蓄電池１６に接続されている。カッターヘッド１は、駆動モータ１１とカッターヘッド１の間のスペース１０の汚れを防止すべく、ヘアカッター４を密閉する構造になっている。さらに、スペース１０は潤滑油溜り８として用いられ得るため、手作業による大幅な補給が不要となる。
【００１１】
カッターヘッド１が閉じた構成となっているため、可動切断刃５と使用者の頭部とのいかなる接触も回避することができる。また、切断刃５がハウジング１７から更に距離をおいて配置されているので、怪我をする危険性がなく、ヘアカッター４の使用の際の操作性を改善することができる。
【００１２】
図３は、カッターヘッド１の、図１のIII−III線に沿った断面図であり、下剪断刃２、上剪断刃３および切断刃５を示している。切断刃５は、互いに結合された下剪断刃２と上剪断刃３との間に、往復運動可能に配置されている。図３は、切断刃５の切断櫛歯６が、矢印３５の方向に向かって、頭髪１８をカットする状態を示している。下剪断刃２および上剪断刃３はそれぞれ、一直線状に並んでいると共に、一定の間隔をあけて対向する一対の剪断櫛歯１９を備えている。ここで、切断刃５には切断櫛歯６が断続的に設けられているため、頭髪１８は、歯の隙間２０内に入った瞬間にカットされるのではなく、間を置いてカットされる。実際には、櫛歯の比（Zahnungsverhaeltnis）は、１．５（剪断櫛歯１９）対１．３（切断櫛歯６）となっている。切断櫛歯６は、バリが発生するような方法（例えばパンチング加工）ではなく、腐蝕によって形成される。
【００１３】
図４は、図１のカッターヘッド１をIV−IV線側から見た平面図である。ただし、図４では、切断刃５およびヘアカット長さ調整装置９を省略してある。
【００１４】
図５は、静止カム部材４２（図１参照）が固定ボルト４０，４１によって取り付けられた、完全なカッターヘッド１の底面図である。
【００１５】
図６は、図４の剪断刃２，３をVI−VI線側から見た側面図である。
【００１６】
図７は、接続部材４３を介して、駆動部材１２と強固に接続された（例えば、接合された）切断刃５を示す側面図である。
【００１７】
図８は、図７の切断刃５をVIII−VIII線側から見た平面図である。接続部材４３の両側にはバネ脚取付け部４４，４５が配置されている。バネ脚取付け部４４，４５はそれぞれ、バネ３７（図１１参照）の脚部３８，３９を取り付けるための穴４６，４７を有している。
【００１８】
図９は、図６の剪断刃２，３をIX−IX線側から見た側面図である。図９には、切断刃５を収容するスロット３１が明確に示されている。スロット３１は、本実施形態において剪断櫛歯１９の両端までのびるように形成されているが、剪断櫛歯１９の両端までの長さよりも短くしてもよく、全体的に丸みをもたせるようにしてもよい。
【００１９】
図１０は、図６の剪断刃２，３をX−X線側から見た側面図である。
【００２０】
図１１は、カッターヘッド１を示す平面図である。図１１では、上剪断刃２、下剪断刃３および静止カム部材４２を省略してある。したがって、バネ３７がより明確に示されている。手動で切断刃５を調整するためのレバー３３は、破線で示されている。切断刃５は、Ｕ字状であって、一体物のバネ３７における脚部３８，３９からなる平行ガイド３６に導入され得る。さらに、切断刃５は、脚部３８，３９の端部を収容するための穴４６，４７を備えている。バネ３７は、スライダ４８内に埋め込まれるため、切断刃５は、平行に動かされ得る。カム１３を介して切断刃５を往復動させるために、スライダ４８は、下剪断刃２の平面５０（図４参照）に対応するスライド面４９（図中の点々で示された面）を有している。
【００２１】
図１２は、図１１に示すカッターヘッド１の背面図である。図１２には、フック５１，５２が明確に示されている。フック５１，５２は、合成樹脂からなり、スライダ４８と一体的に結合され、ヘアカッター４に係合するのに用いられる。
【００２２】
図１３は、図２に示す本発明の実施形態と比較するための、ヘアカッター４に連結された従来のカッターヘッド１．１を示す側断面図である。この場合、カッターヘッド１．１とハウジング１７との間に（上剪断刃の振動によって）ギャップ２１が生じ、スペース１０が細かい髪の毛で汚される。これに対し、図２に示す本発明の実施形態では、それを回避することができる。
【図面の簡単な説明】
【００２３】
【図１】下剪断刃、上剪断刃および切断刃を備えたカッターヘッドの側断面図である。
【図２】図１のカッターヘッドをヘアカッターに取り付けた状態を示す側断面図である。
【図３】図１のIII−III線に沿った断面図である。
【図４】図１のIV−IV線から見たカッターヘッドであって、切断刃およびヘアカット長さ調整装置を取り除いたカッターヘッドを示す平面図である。
【図５】カッターヘッドの背面図である。
【図６】図４のVI−VI線から見た剪断刃を示す側面図である。
【図７】駆動部材を備えた切断刃を示す側面図である。
【図８】図７のVIII−VIII線から見た切断刃を示す平面図である。
【図９】図６のIX−IX線から見た剪断刃を示す側面図である。
【図１０】図６のX−X線から見た剪断刃を示す側面図である。
【図１１】切断刃の平行ガイドを備えたカッターヘッドを示す平面図である。
【図１２】図１１に示すカッターヘッドの背面図である。
【図１３】従来技術のカッターヘッドが取り付けられたヘアカッターを示す側断面図である。
【符号の説明】
【００２４】
１  カッターヘッド
２  下剪断刃
３  上剪断刃
４  ヘアカッター
５  切断刃
６  切断櫛歯
７  平坦部材
７．１  金属薄板
８  潤滑油溜り
９  ヘアカット長さ調整装置
１０  スペース
１１  駆動モータ
１２  駆動部材
１３  カム
１４  カムピン
１５  スイッチ
１６  蓄電池
１７  ハウジング
１８  頭髪
１９  剪断櫛歯
２０  隙間
２１  ギャップ
３１  スロット
３２  矢印
３３  レバー
３４  ユニット
３５  矢印
３６  平行ガイド
３７  バネ
３８，３９  脚部
４０，４１  固定ボルト
４２  静止カム部材
４３  接続部材
４４，４５  バネ脚取付け部
４６，４７  穴
４８  スライダ
４９  スライド面
５０  平面
５１，５２  フック
Ｂ  挿入幅
Ｓ  切断刃５の厚さ
【図１】
2007512882.tif 000003
【図２】
2007512882.tif 000004
【図３】
2007512882.tif 000005
【図４】
2007512882.tif 000006
【図５】
2007512882.tif 000007
【図６】
2007512882.tif 000008
【図７】
2007512882.tif 000009
【図８】
2007512882.tif 000010
【図９】
2007512882.tif 000011
【図１０】
2007512882.tif 000012
【図１１】
2007512882.tif 000013
【図１２】
2007512882.tif 000014
【図１３】
2007512882.tif 000015
【国際調査報告】
2007512882.tif 000016
2007512882.tif 000017
2007512882.tif 000018
2007512882.tif 000019
2007512882.tif 000020
2007512882.tif 000021